(57)【要約】【課題】  実物の餌のように微妙な動きをして集魚効果を高めることができると共に、釣針を装着するのが容易な擬似餌を提供する。【解決手段】  弾力性を有するエラストマーによりボディ部が形成され、上記ボディ部には長さ方向に沿って釣針を装着しうる孔部が形成され、上記孔部は、釣針の先端の湾曲したフック部をそのまま圧入しうるように、上記ボディ部の弾性変形により変形可能に、かつ内径を拡大しうるように形成されている。上記ボディ部は棒状の基体部の表面に多数の突起が設けられた形状を有し、上記ボディ部の先端には肉薄でカール状の揺動可能なテイル部が付設されている。【選択図】  図１
0003124039.tif 000002
【実用新案登録請求の範囲】
【請求項１】
実物の餌の代わりに釣針に取り付けて使用される釣用の擬似餌であって、
弾力性を有するエラストマーによりボディ部が形成され、上記ボディ部には長さ方向に沿って釣針を装着しうる孔部が形成され、
上記孔部は、釣針の先端の湾曲したフック部をそのまま圧入しうるように、上記ボディ部の弾性変形により変形可能に、かつ内径を拡大しうるように形成されていることを特徴とする擬似餌。
【請求項２】
上記孔部には、複数の釣針が挿入され固定されていることを特徴とする請求項１記載の擬似餌。
【請求項３】
上記ボディ部は透明に形成され、上記孔部には様々な色に着色されたビーズが挿入されていることを特徴とする請求項１又は２のいずれか１項に記載の擬似餌。
【請求項４】
上記孔部は、棒状部材を中心部に配して成形された上記ボディ部から、上記棒状部材を引き抜くことにより形成されたことを特徴とする請求項１、２又は３のいずれか１項に記載の擬似餌。
【請求項５】
上記ボディ部は棒状の基体部の表面に多数の突起が設けられた形状を有し、上記ボディ部の先端には肉薄でカール状の揺動可能なテイル部が付設されていることを特徴とする請求項１、２、３又は４のいずれか１項に記載の擬似餌。
【考案の詳細な説明】
【技術分野】
【０００１】
本考案は釣用の擬似餌に係り、特に、集魚効果を高めることができると共に、釣針を容易に装着しうる擬似餌に関する。
【背景技術】
【０００２】
従来、様々な素材を用いて、様々な形状の擬似餌が製作されており、その中にソフトルアーと称されているものが存在する。
【０００３】
上記ソフトルアーは柔軟な素材を用いて形成されるが、特に合成樹脂の一種である塩ビを用いて形成されたものが多い。
【０００４】
しかしながら、塩ビで形成されたソフトルアーは、塩ビの中に含まれている可塑剤により河川中の環境悪化を招き、例えばオスの精子の減少とメス化を誘引する原因の一つとなっていた。
【０００５】
また、例えば、特許文献１に記載されたルアーのように、形状に工夫を凝らして集魚効果を高めている。
【０００６】
【特許文献１】特開２００３−３０４７８１号公報
【０００７】
上記環境悪化に配慮して開発されたエラストマーにより形成されたソフトルアーも存在するが、上記ソフトルアーに釣針を装着する場合には、特許文献１の図２に示すように、ソフトルアーのボディ部の外方から釣針を引っ掛けて、上記ボディ部に突き刺して固定する必要がある。
【０００８】
しかし、上記ソフトルアーは、柔軟性があるため、上記ソフトルアーに対し釣針を突き刺そうとした場合であっても、ボディ部が変形し、抑えている手指などからずれるため容易に装着することができず、また、ボディ部の表面が柔らかいため釣針の先端部がソフトルアーの表面に対し突き刺さらず針が通しにくいため、容易に装着することはできなかった。
【考案の開示】
【考案が解決しようとする課題】
【０００９】
そこで本考案の課題は、実物の餌のように微妙な動きをして集魚効果を高めることができると共に、釣針を装着するのが容易な擬似餌を提供することにある。
【課題を解決するための手段】
【００１０】
上記課題を解決するために、本考案に係る擬似餌は、実物の餌の代わりに釣針に取り付けて使用される釣用の擬似餌であって、弾力性を有するエラストマーによりボディ部が形成され、上記ボディ部には長さ方向に沿って釣針を装着しうる孔部が形成され、上記孔部は、釣針の先端の湾曲したフック部をそのまま圧入しうるように、上記ボディ部の弾性変形により変形可能に、かつ内径を拡大しうるように形成されていることを特徴とする。
【００１１】
すなわち、本考案に係る擬似餌の上記ボディ部は、従来から使用されている塩ビよりも弾力性にすぐれているエラストマーを素材として成形されている。
したがって、塩ビでボディ部が形成された擬似餌よりも微妙な動きが可能となり、その動きは実物の餌の動きに近いものとなるので、魚の興味を惹き付けやすく、集魚効果が高くなる。
また、上記ボディ部には長さ方向に沿って釣針を装着するための孔部が形成されるが、上記ボディ部をエラストマーで形成されることにより、上記孔部は内径を容易に拡大することができる。
したがって、上記孔部に釣針を装着する場合に、釣針の先端フック部をそのまま圧入することができるので、従来のように、上記フック部の各部位を孔部の方向に合わせながら、即ち、釣針の向きを微妙に変えながら挿入しなければならぬという煩雑が解消する。
【００１２】
また、本考案に係る上記擬似餌にあっては、上記孔部には、複数の釣針が挿入され固定されている構成にすることもできる。
【００１３】
すなわち、上記ボディ部に釣針を一つだけ装着した場合よりも、複数の釣針を装着した方が、釣果が期待できることから、複数の釣針を装着可能としている。
【００１４】
また、本考案に係る上記擬似餌にあっては、上記ボディ部は透明に形成され、上記孔部には様々な色に着色されたビーズが挿入されている構成にすることもできる。
【００１５】
すなわち、擬似餌は、水中で、光や色によっても視覚的に魚の興味を惹き付けることができ、集魚効果を高めることができる。したがって、そのような集魚効果が得られるように、上記ボディ部には、様々な色に着色されたビーズを挿入して、光が当たった場合に、光を反射して散乱させるようにした。
【００１６】
また、本考案に係る上記擬似餌にあっては、上記孔部は、棒状部材を中心部に配して成形された上記ボディ部から、上記棒状部材を引き抜くことにより形成されている。
【００１７】
すなわち、上記ボディ部を金型で成形する場合に、金型の内部に棒状部材を配して、その周囲に樹脂を注入して固めた後に、上記棒状部材を成形品から引き抜くことにより、上記孔部を容易に成形可能とした。
【００１８】
また、本考案に係る上記擬似餌にあっては、上記ボディ部は棒状の基体部の表面に多数の突起が設けられた形状を有し、上記ボディ部の先端には肉薄でカール状の揺動可能なテイル部が付設されている。
【００１９】
すなわち、擬似餌の水中での動きも、魚の興味を惹き付けて集魚効果を高めるための要素であるので、上記基体部の表面には水中で微妙な振動をする多数の突起を設けると共に、上記基体部の先端には魚の鰓のように揺動するテイル部を設けている。
【考案の効果】
【００２０】
請求項１記載の本考案に係る擬似餌は、エラストマーによりボディ部が形成されていることから、上記ボディ部は、従来の塩ビで形成されたものに比べ弾力性にすぐれ、微妙な動きも可能である。したがって、実物の餌のように動くことも可能なので、魚の興味を惹き易く、集魚効果が高いので、釣果を上げることができる。
また、上記ボディ部に長さ方向に沿って孔部が形成されていることから、釣針を上記孔部に挿入することにより容易に釣針を装着することができる。
また、上記孔部は、釣針の先端の湾曲したフック部をそのまま圧入しうるように、上記ボディ部の弾性変形により変形可能に、かつ内径を拡大しうるように形成されていることから、釣針を上記孔部に挿入する場合に、釣針の先端フック部をそのまま挿入することができる。即ち、釣針の先端フック部を孔部に挿入する場合に、上記フック部の各部位を孔部の方向に合わせるように、釣針の向きを微妙に変えながら挿入するような煩雑がない。したがって、釣針の装着作業が容易になる。
【００２１】
請求項２記載の本考案に係る擬似餌は、上記孔部には、複数の釣針が挿入され固定されていることから、一度に複数の魚を引っ掛けることができ、釣果を上げることができる。
【００２２】
請求項３記載の本考案に係る擬似餌は、上記ボディ部は透明に形成され、上記孔部には様々な色に着色されたビーズが挿入されていることから、上記ビーズに当たった光が散乱することにより上記ビーズが光輝性を発揮するので、魚の興味を惹き易く、集魚効果を高めることができる。
【００２３】
請求項４記載の本考案に係る擬似餌は、上記孔部が、棒状部材を中心部に配して成形された上記ボディ部から、上記棒状部材を引き抜くことにより形成されたことから、上記孔部の形成が容易で、製造コストを低減することができる。
【００２４】
請求項５記載の本考案に係る擬似餌は、上記ボディ部が棒状の基体部の表面に多数の突起が設けられた形状を有し、上記ボディ部の先端には肉薄でカール状の揺動可能なテイル部が付設されていることから、水中で泳がせた場合に、上記突起と上記テイル部がユラユラ動いて、実物の餌のような微妙な動きをするので、集魚効果が高く、釣果を増大させることができる。
【考案を実施するための最良の形態】
【００２５】
以下、図面を用いて本考案の実施の形態について説明する。
本考案の実施形態に係る上記擬似餌１１は、図1及び図２に示すように、実物の餌の代わりに釣針１３に取り付けて使用される釣用の擬似餌１１であって、弾力性を有するエラストマーによりボディ部１２が形成され、図３に示すように、上記ボディ部１２には長さ方向に沿って釣針１３を装着しうる孔部２０が形成され、上記孔部２０は、図４に示すように、釣針１３の先端の湾曲したフック部１４をそのまま圧入しうるように、上記ボディ部１２の弾性変形により変形可能に、かつ内径を拡大しうるように形成されている。
また、上記孔部２０は、図５に示すように、棒状部材２１を中心部に配して成形された上記ボディ部１２から、上記棒状部材２１を引き抜くことにより形成されている。
また、図１及び図２に示すように、上記ボディ部１２は棒状の基体部１５の表面に多数の突起１６が設けられた形状を有し、上記ボディ部１２の先端には肉薄でカール状の揺動可能なテイル部１７が付設されている。
【００２６】
また、図６に示す実施形態では、上記孔部２０には、複数の釣針１３が挿入され固定されている。
さらに、図７に示す実施形態では、上記ボディ部１２は透明に形成され、上記孔部２０には様々な色に着色されたビーズ２２，２３，２４が挿入されている。
【実施例１】
【００２７】
図１乃至図５は実施例１に係る擬似餌１１を示したものである。
図１は本実施例に係る擬似餌１１の側面を、又、図２は平面を夫々示したものであり、上記擬似餌１１は、ボディ部１２と、テイル部１７とを有している。
上記ボディ部１２とテイル部１７は、いずれも弾力性を有するエラストマーにより形成されている。
【００２８】
上記ボディ部１２は、図１に示すように、上下方向に長く横断面が略円形の棒状の基体部１５と、上記基体部１５の表面に設けられた多数の突起１６とを有している。
【００２９】
上記突起１６は、図２に示すように、上記基体部１５の外周面部において周方向に六等分された箇所から夫々径方向の外方へ向かって放射状に突設されている。
また、上記テイル部１７は肉薄のシート状で、上記基体部１５の下端部から下方へ垂れ下がるように形成されているが、先端が上方へ折り返してカールしている。
【００３０】
上記突起１６は水中で、水流により繊毛のように微妙に振動し、又、上記カール状のテイル部１７は魚の尾鰭のように揺動する。
したがって、魚は実物の餌と見誤って食い付くことになる。
【００３１】
上記ボディ部１２には、図１に示すように、釣針１３が装着されている。上記釣針１３は上記突起１６の中に紛れて、目立たないように装着されている。
【００３２】
図３は上記ボディ部１２の一部を断面として示したもので、釣針１３を上記ボディ部１２に取り付けるために、上記ボディ部１２には上端に開口した縦長の孔部２０が形成されている。
上記孔部２０の内径は、自然状態では上記釣針１３の線径よりも僅かに大きい程度であるが、上記ボディ部１２の弾性変形により、内径を上記釣針１３における先端フック部１４の幅寸法より大きく拡大可能としている。
図４は上記孔部２０に上記釣針１３を装着する状態を示したものであり、上記孔部２０の内径を上記のように拡大することにより、上記釣針１３は上記フック部１４をそのまま孔部２０に圧入することができる。
したがって、釣針１３の先端フック部１４を孔部２０に挿入する場合に、従来のように、上記フック部１４の各部位を孔部２０の方向に合わせるように、釣針１３の向きを微妙に変えながら挿入するような煩雑がないので、釣針１３の装着作業が容易である。
【００３３】
なお、上記孔部２０に挿入された釣針１３の先端フック部１４は、図１に示すように、針先部１９が基体部１５を突き抜けて外方に露呈している。
また、上記釣針１３における反フック部１４側の端部には、リング状の釣糸繋着部１８が形成されているが、上記釣糸繋着部１８は上記基体部１５の上端外方に露呈されている。  
【００３４】
図５は上記ボディ部１２に上記孔部２０を形成する工程を示したものである。
上記ボディ部１２は金型を使用して射出成形により形成される。その場合、金型内部には棒状部材２１が配され、その棒状部材２１の周囲に樹脂を注入して上記ボディ部１２が成形される。そして、ボディ部１２の樹脂が固化してから上記棒状部材２１を引き抜くことにより、上記ボディ部１２の中心部に上記孔部２０が形成される。
このように棒状部材２１を使用することにより上記孔部２０を容易に形成することができる。
【実施例２】
【００３５】
図６は実施例2に係る擬似餌１１を示したものである。
上記実施例１では、上記ボディ部１２に釣針１３が一つのみ装着されていたが、本実施例２では、上記ボディ部１２における長さ方向の複数箇所に釣針１３が装着されている。上記ボディ部１２とテイル部１７はエラストマーにより形成されている。
なお、ボディ部１２やテイル部１７の構造、孔部２０の形成方法、及び孔部２０に対する釣針１３の装着方法等は上記実施例１と同一なので、重複を避けるため説明は省略するが、。
【００３６】
上記のように釣針１３を複数に増大することにより、一度に複数の魚を釣り上げることができるので、釣果増大が期待できる。
【実施例３】
【００３７】
図７は実施例３に係る擬似餌１１を示したものである。
本実施例の擬似餌１１にあっては、上記ボディ部１２は透明に形成され、上記孔部２０には様々な色に着色されたビーズ２２，２３，２４が挿入されている。
上記ボディ部１２とテイル部１７はエラストマーにより形成されている。
なお、ボディ部１２やテイル部１７の構造、孔部２０の形成方法、及び孔部２０に対する釣針１３の装着方法等は上記実施例１と同一なので、重複を避けるため説明は省略する。
【００３８】
上記のように、上記孔部２０に様々な色に着色されたビーズ２２，２３，２４が挿入されることにより、上記擬似餌１１を水中で泳がした場合に、光が上記ビーズ２２，２３，２４に当たって反射することにより散乱するので、魚の視覚が刺激され、魚は実物の餌と見誤って食い付くことになり、釣果の増大が期待できる。
【産業上の利用可能性】
【００３９】
本考案は擬似餌、特にソフトルアーと称されている擬似餌に適用可能である。
【図面の簡単な説明】
【００４０】
【図１】本考案の実施例１に係る擬似餌を示す側面図である。
【図２】本考案の実施例１に係る擬似餌の平面図である。
【図３】本考案の実施例１に係る擬似餌のボディ部の一部を断面とした側面図である。
【図４】本考案の実施例１に係る擬似餌の孔部に釣針を装着する状態を示す一部断面図である。
【図５】本考案の実施例１に係る擬似餌の孔部を形成する工程を示す一部断面図である。
【図６】本考案の実施例２に係る擬似餌を示す側面図である。
【図７】本考案の実施例３に係る擬似餌を示す一部を断面とした側面図である。
【符号の説明】
【００４１】
１１  擬似餌
１２  ボディ部
１３  釣針
１４  フック部
１５  基体部
１６  突起
１７  テイル部
１８  釣糸繋着部
１９  針先部
２０  孔部
２１  棒状部材
２２  ビーズ  
２３  ビーズ
２４  ビーズ
【図１】
0003124039.tif 000003
【図２】
0003124039.tif 000004
【図３】
0003124039.tif 000005
【図４】
0003124039.tif 000006
【図５】
0003124039.tif 000007
【図６】
0003124039.tif 000008
【図７】
0003124039.tif 000009